(57)【特許請求の範囲】
【請求項１】
液晶からなる表示器の情報コードが表示された表示面が上向きになるように提示された表示媒体に対して、上方から前記表示面の画像を撮像するための撮像光軸を有する撮像器を備えたオーバヘッド型スキャナであって、
前記撮像器による前記表示面の撮像時に、当該表示媒体を提示する操作者が当該表示面を視認し得るようにした透明板を前記撮像器の下方に設け、
前記透明板の上方に面光源となる導光板を当該透明板に対して傾斜して配置したことを特徴とするオーバヘッド型スキャナ。
【請求項２】
前記透明板は、前記撮像器の撮像光軸に対してほぼ垂直であって、前記提示された表示媒体の前記表示面を対向させる位置に設けられていることを特徴とする請求項１のオーバヘッド型スキャナ。
【請求項３】
前記透明板は、読取窓に設けられていることを特徴とする請求項２のオーバヘッド型スキャナ。
【請求項４】
前記透明板に、前記表示面に表示された情報コードを撮像可能な範囲に位置合わせさせるための指示枠を投影することを特徴とする請求項２又は請求項３のオーバヘッド型スキャナ。
【請求項５】
前記透明板は、オーバヘッド型スキャナの前記操作者側の筐体側壁に沿って設けられていることを特徴とする請求項１のオーバヘッド型スキャナ。
【請求項６】
前記透明板は、オーバヘッド型スキャナの筐体側壁の一部をなすことを特徴とする請求項５のオーバヘッド型スキャナ。
【請求項７】
前記透明板に、前記表示面に表示された情報コードを撮像可能な範囲に位置合わせさせるための指示枠を設けたことを特徴とする請求項１、請求項２、請求項３、請求項５、請求項６のいずれか１のオーバヘッド型スキャナ。
【請求項８】
前記透明板に外来光を反射するコートを施したことを特徴とする請求項６のオーバヘッド型スキャナ。
【発明の詳細な説明】
【技術分野】
【０００１】
本発明は、携帯電話等に表示されたＱＲコード（登録商標）等の二次元光学情報を読み取る据え置き型のスキャナに関し、特に、ＱＲコードが表示された表示面が上向きになるように提示された携帯電話に対して、上方から表示面の画像を撮像するための撮像光軸を有する撮像器を備えたオーバヘッド型スキャナに関するものである。
【背景技術】
【０００２】
現在、光学的情報の新たな使用形態として、携帯電話にＱＲコード（登録商標）を表示させ、据え置き型のスキャナで読み取ることが行われている。例えば、携帯電話にＱＲコードを配信し、コンサート開場において、携帯電話に表示されたＱＲコードをスキャナで読み取ることでチケットの代わりをさせる等の態様で使用されている。係る据え置き型のスキャナでは、箱状の筐体の上面に読取窓を配置し、表示面が下向きになるように裏返して携帯電話が提示されることで、ＱＲコードの読み取りを行っている。
【０００３】
係る上面に読取窓を配置した据え置き型のスキャナでは、上方に配置された照明等からの外来光が読取窓から入射し易く、外来光の影響で携帯電話に表示されたＱＲコードが読み取れなくなることがある。ここで、特許文献１には、ＱＲコードが表示された表示面が上向きになるように提示された携帯電話に対して、上方から表示面の画像を撮像するための撮像光軸を有する撮像器を備えたオーバヘッド型スキャナが開示されている。オーバヘッド型スキャナでは、下面に読取窓を設けるため、照明等の上方からの外来光の影響を受け難く、ＱＲコードの読み取りが確実であるという利点がある。
【特許文献１】特開２００２−１２３７９１号公報
【発明の開示】
【発明が解決しようとする課題】
【０００４】
しかしながら、オーバヘッド型スキャナでは、読み取りを行う読取窓が操作者から見えないため、読取窓に対して携帯電話の表示器を位置合わせし難く、読取窓と携帯電話の表示器との位置ずれからＱＲコードを読み取れないことがあった。
【０００５】
本発明は、上述した課題を解決するためになされたものであり、その目的とするところは、操作者が表示された情報コードを視認しながら表示媒体を位置合わせすることができるオーバヘッド型スキャナを提供することにある。
【課題を解決するための手段】
【０００６】
上記目的を達成するため、請求項１の発明は、液晶からなる表示器の情報コードＱが表示された表示面５２が上向きになるように提示された表示媒体５０に対して、上方から前記表示面５２の画像を撮像するための撮像光軸ＣＣを有する撮像器１４を備えたオーバヘッド型スキャナ１０であって、前記撮像器１４による前記表示面５２の撮像時に、当該表示媒体５０を提示する操作者が当該表示面５２を視認し得るようにした透明板２０を前記撮像器１４の下方に設け、前記透明板２０の上方に面光源となる導光板２８を当該透明板２０に対して傾斜して配置したことを特徴とする。
【発明の効果】
【０００７】
請求項１では、撮像器による情報コードを表示した表示面の撮像時に、表示媒体を提示する操作者が当該表示面を視認し得るようにした透明板を設けてあるため、透明板を透過させて、操作者が、表示された情報コードを視認しながら表示媒体の位置合わせをすることができる。更に、透明板の上方に面光源となる導光板を当該透明板に対して傾斜して配置しているので、鏡面反射し易い液晶からなる表示器に表示されたＱＲコードを、導光板で照明し、反射の内の拡散成分を受光センサで受光し、読み取ることができる。
【０００８】
請求項２では、透明板が、提示された表示媒体の表示面を対向させる位置に設けられているため、操作者は、透明板を透過させて表示された情報コードを視認しながら、該透明板に表示媒体の表示面を対向させることで水平方向の位置合わせができる。
【０００９】
請求項３では、透明板が読取窓に備えられているので、操作者は、読取窓に設けられた透明板を透過させて表示された情報コードを視認しながら、該透明板に表示媒体の表示面を対向させることで位置合わせができる。
【００１０】
請求項４では、透明板に、表示面に表示された情報コードを撮像可能な範囲に位置合わせさせるための指示枠が投影される。このため、操作者が、透明板を透過させて視認しながら、透明板に投影された指示枠内に情報コードが入るようにすることで、表示媒体を位置合わせすることができる。
【００１１】
請求項５では、透明板が筐体側壁に沿って設けられているため、透明板を透過させて、操作者が、表示された情報コードを視認しながら表示媒体の位置合わせをすることができる。
【００１２】
請求項６では、透明板が筐体側壁の一部をなすため、透明板を別に設ける必要がなく、簡易に構成することができる。
【００１３】
請求項７では、透明板に、表示面に表示された情報コードを撮像可能な範囲に位置合わせさせるための指示枠が設けられている。このため、操作者が、透明板を透過させて視認しながら、透明板の指示枠内に情報コードが入るようにすることで、表示媒体を位置合わせすることができる。
【００１４】
請求項８では、透明板に外来光を反射するコートを施してあるため、外来光がオーバヘッド型スキャナ内に入り込まず、外来光によって撮像器による情報コードの撮像が妨げられることがない。
【発明を実施するための最良の形態】
【００１５】
[第１実施形態]
以下、本発明のオーバヘッド型スキャナの実施形態について図を参照して説明する。まず、第１実施形態に係るオーバヘッド型スキャナ１０の構成概要を図１の断面図に基づいて説明する。
ＱＲコード、バーコード等の情報コードを読み取るオーバヘッド型スキャナ１０は、ほぼ矩形箱状なすハウジング１８を備え、該ハウジング１８は、Ｌ字形状の保持部材４０にて支持されている。ハウジング１８内には、携帯電話５０の表示器５２に対して、白色光を照射する面光源となる導光板２８と、読取窓をなす透明板２０と、結像レンズ１２と、ＣＣＤから成る受光センサ１４と、後述する指示枠を投影するためのマーカ装置２４と、制御装置等を構成する回路部３０とを備える。ハウジング１８の操作者側の側壁１８ｆの中央部から底面にかけて断面Ｌ字状の開口１８ａが形成され、該開口１８ａに、側壁２２ｆ及び低面２２ｂからなる断面Ｌ字状の樹脂製透明パネル２２が取り付けられている。
【００１６】
第１実施形態、オーバヘッド型スキャナ１０は、透明板２０の下に、表示器５２を上向きにした携帯電話５０が翳されることで、携帯電話５０の表示器５２に表示されたＱＲコードを読み取る。即ち、導光板２８からの照射光が透明板２０下の携帯電話５０の表示器５２に表示されたＱＲコードＱを照明する。鏡面反射する表示器５２のＱＲコードＱにより反射された拡散反射成分は、再度、ハウジング１８内に入り結像レンズ１２へ入射し、受光素子がマトリクス状に配列された受光センサ１４にＱＲコードの像を結像させる。このＱＲコードの像を光電変換して読み取った受光センサ１４は、像のパターンを表す電気信号として回路部３０側に出力する。回路部３０は、受光センサ１４からＱＲコードの読み取りデータをデコード（解読）して、ＱＲコードが表している情報を得る。ここで、ＱＲコードＱのデコードに成功した場合に、ブザーが鳴動させられ、デコード結果が上位装置へ送信される。
【００１７】
透明板２０は、受光センサ１４の撮像光軸ＣＣに対してほぼ垂直であって、提示される携帯電話５０の表示器５２を対向させる位置に設けられる。透明板２０は、受光センサ１４の撮像範囲ＣＥ、ＣＥとほぼ同じ大きさに形成されている。上述したように、ハウジング１８の操作者側の側壁１８ｆの中央部から底面にかけて断面Ｌ字状の開口１８ａが形成され、該開口１８ａに、側壁２２ｆ及び低面２２ｂからなる樹脂製透明パネル２２が取り付けられている。このため、樹脂製透明パネル２２の側壁２２ｆ及び低面２２ｂを透過して、操作者は、ハウジング１８の開口１８ａを介して斜め上から透明板２０を視認でき、該透明板２０を介して携帯電話５０の表示器５２に表示されたＱＲコードを確認しながら位置合わせすることができる。図中で、操作者の視線をＩＲ、ＩＲで示している。
【００１８】
オーバヘッド型スキャナ１０は、床から１２００mmの高さのテーブル等に置かれる。ここで、床から目線までの高さ１７９３mmの操作者が、該オーバヘッド型スキャナ１０の透明板２０の中心から水平方向に５００mm離れて立った場合に、上記視線ＩＲは、水平方向に対して約４７度の角度となる。
【００１９】
図２（Ａ）、図２（Ｂ）は、図１中の操作者目線側から見た透明板２０を示し、図２（Ａ）は、携帯電話５０をかざす前の状態を、図２（Ｂ）は、かざしている状態を示している。該透明板２０には、図１を参照して上述したマーカ装置２４によって、携帯電話５０を位置合わせする範囲を示す赤色の指示枠２６が投影されている。図２（Ｂ）に示すように、指示枠２６内に携帯電話５０の表示器５２に表示されたＱＲコードＱを入れることで、図１を参照して上述したように、当該ＱＲコードＱが受光センサ１４の撮像範囲ＣＥ、ＣＥ内に入り、ＱＲコードＱが受光センサ１４によって撮像されることで、読み取りが行われる。
【００２０】
第１実施形態のオーバヘッド型スキャナ１０では、ＱＲコードを表示した表示器５２の受光センサ１４による撮像時に、携帯電話５０を提示する操作者が当該表示器５２を視認し得るようにした透明板２０を設けてあるため、透明板２０を透過させて、操作者が、表示されたＱＲコードＱを斜め上から視認しながら携帯電話５０の位置合わせをすることができる。
【００２１】
透明板２０は、提示された携帯電話５０の表示器５２を対向させる位置に設けられているため、操作者は、透明板２０を透過させて表示されたＱＲコードＱを視認しながら、該透明板に携帯電話５０の表示器５２を対向させることで水平方向の位置合わせができる。
【００２２】
また、透明板２０に、表示器５２に表示されたＱＲコードを撮像可能な範囲に位置合わせさせるための指示枠２６が投影されているため、操作者が、透明板２０を透過させて視認しながら、透明板に投影された指示枠２６内にＱＲコードＱが入るようにすることで、携帯電話５０を位置合わせすることができる。
【００２３】
更に、ハウジング１８の開口１８ａを操作者側側壁１８ｆに設け、該開口１８ａに対向する位置であって、透明板２０の上方に面光源となる導光板２８を操作者の視線方向下向きに傾くように配置し、透明板２０の上方に、撮像光軸ＣＣが操作者の視線方向に沿って少し傾くように受光センサ１４を配置してある。このため、鏡面反射し易い液晶からなる表示器５２に表示されたＱＲコードを、導光板２８で照明し、反射の内の拡散成分を受光センサ１４で受光し、読み取ることができる。
【００２４】
[第２実施形態]
以下、本発明の第２実施形態に係るオーバヘッド型スキャナの実施形態について図３及び図４を参照して説明する。
図３は、第２実施形態に係るオーバヘッド型スキャナの断面図である。図４（Ａ）、図４（Ｂ）は、操作者側から見た透明板２０を示し、図４（Ａ）は、携帯電話５０をかざす前の状態を、図４（Ｂ）は、かざしている状態を示している。図１を参照して上述した第１実施形態では、透明板２０がハウジング１８と別体に設けられていたが、第２実施形態では、ハウジング１８の底部に読取窓を構成する開口１６が形成されており、該開口１６に透明板２０が嵌め込まれている。そして、ハウジング１８の操作者側の側壁１８ｆに開口１８ａが形成され、該開口１８ａに樹脂製透明パネル２２が嵌め込まれている。更に、第１実施形態では、マーカ装置２４によって指示枠２６が投影されたが、第２実施形態では、透明板２０に指示枠２７が印刷されている。また、第２実施形態では、く字形状となる折り畳み型の携帯電話５０の表示器５２で、位置合わせがし易いように、操作者側に向けて傾斜するように透明板２０が取り付けられている。
【００２５】
第２実施形態のオーバヘッド型スキャナ１０では、透明板２０が読取窓（開口）１６に備えられているので、操作者は、図４（Ｂ）に示すように読取窓１６に設けられた透明板２０を透過させて表示されたＱＲコードＱを視認しながら、該透明板２０に携帯電話５０の表示器５２を対向させることで位置合わせができる。
【００２６】
また、透明パネル（透明板）２２の外面に外来光を反射するコートを施してある。このため、外来光がオーバヘッド型スキャナ１０内に入り込まず、外来光によって受光センサ１４によるＱＲコードＱの撮像が妨げられることがない。
【００２７】
[第３実施形態]
以下、本発明の第３実施形態に係るオーバヘッド型スキャナの実施形態について図５を参照して説明する。
図３を参照して上述した第２実施形態では、ハウジング１８の操作者側の側壁１８ｆに形成された開口１８ａに樹脂製透明パネル２２が嵌め込まれていた。これに対して、第３実施形態では、開口１８ａに樹脂製透明パネルが設けられていない。第３実施形態では、操作者が透明板２０を直接視認できる利点がある。
【００２８】
[第４実施形態]
以下、本発明の第４実施形態に係るオーバヘッド型スキャナの実施形態について図６及び図７を参照して説明する。
図６は、第４実施形態に係るオーバヘッド型スキャナの断面図である。図７（Ａ）、図７（Ｂ）は、操作者側から見た透明板２０を示し、図７（Ａ）は、携帯電話５０を読取窓１６下にかざす前の状態を、図７（Ｂ）は、かざしている状態を示している。図１を参照して上述した第１実施形態では、透明板２０がハウジング１８の底側に配置されたが、第４実施形態では、透明板２０がハウジング１８の操作者側側壁１８ｆに形成された開口１８ａに配置されている。また、図７（Ａ）、図７（Ｂ）に示すように、透明板２０には、指示枠２７が印刷されている。
【００２９】
第４実施形態のオーバヘッド型スキャナ１０では、透明板２０がハウジング１８の側壁１８ｆに沿って設けられているため、透明板２０を透過させて、操作者が、表示されたＱＲコードＱを視認しながら表示媒体の位置合わせをすることができる。また、透明板２０がハウジング１８の側壁１８ｆの一部をなすため、透明板を別に設ける必要がなく、簡易に構成することができる。
【００３０】
また、第４実施形態では、透明板２０に、表示器５２に表示されたＱＲコードＱを撮像可能な範囲に位置合わせさせるための指示枠２７が設けられている。このため、操作者が、透明板２０を透過させて視認しながら、透明板の指示枠２７内にＱＲコードＱが入るようにすることで、携帯電話５０を位置合わせすることができる。
【図面の簡単な説明】
【００３１】
【図１】本発明の第１実施形態に係るオーバヘッド型スキャナの断面図である。
【図２】第１実施形態のオーバヘッド型スキャナの読取窓での位置合わせを示す説明図である。
【図３】第２実施形態に係るオーバヘッド型スキャナの断面図である。
【図４】第２実施形態のオーバヘッド型スキャナの読取窓での位置合わせを示す説明図である。
【図５】第３実施形態に係るオーバヘッド型スキャナの断面図である。
【図６】第４実施形態に係るオーバヘッド型スキャナの断面図である。
【図７】第４実施形態のオーバヘッド型スキャナの読取窓での位置合わせを示す説明図である。
【符号の説明】
【００３２】
１０  オーバヘッド型スキャナ
１６  開口（読取窓）
１８  ハウジング（筐体）
１８ａ  開口
１８ｆ  側壁
２０  透明板
２３  受光センサ（撮像器）
２６  指示枠
２７  指示枠
２８  導光器
５０  携帯電話（表示媒体）
５２  表示器（表示面）
Ｑ  ＱＲコード（情報コード）
ＣＣ  撮像光軸
【図１】
0004407668.tif 000002
【図２】
0004407668.tif 000003
【図３】
0004407668.tif 000004
【図４】
0004407668.tif 000005
【図５】
0004407668.tif 000006
【図６】
0004407668.tif 000007
【図７】
0004407668.tif 000008